(57)【要約】【目的】前板とこの前板に溶着する後板とからなる落下防止板において、溶着個所の外観品質を向上させることである。【構成】前板１、後板２のいずれか一方の内側にプレート状の溶着片１１６を一体成形し、該溶着片１１６の溶着面１１６Ａに、切欠状の非溶着部１１６Ｂを形成して、他方の内面に溶着片１１６を溶着することを特徴とする。【選択図】        図８
2004203081.tif 000002
【特許請求の範囲】
【請求項１】
シートの前側部にシートの上面に対して上方に突出可能に落下防止板を取付け、該落下防止板は前板とこの前板に一体に溶着する後板とから構成し、この落下防止板によってシートの上面に載置した載置物の落下を防止する載置物落下防止装置であって、
前記前板又は後板のいずれか一方の内面に溶着するプレート状の溶着片を他方の内側に一体成形し、該溶着片における溶着面の略中央に、切欠状の非溶着部を形成してなる載置物落下防止装置。
【請求項２】
前記溶着片を電磁誘導溶着によって一方の内面に溶着してなる請求項１記載の載置物落下防止装置。
【請求項３】
前記前板と後板との間に落下防止板を上下方向にスライドさせるスライド機構を設け、該スライド機構をシートクッションの前側面前方に突出させたステーに、スライド自在に取付けてなる請求項１記載の載置物落下防止装置。
【発明の詳細な説明】
【０００１】
【発明の属する技術分野】
本発明は、自動車の助手席上などのシート上に載置した荷物などの載置物が、自動車の急制動時に、車床に落下するのを防止する載置物落下防止装置に関する。
【０００２】
【従来の技術】
助手席に小物、パソコン等の載置物を載置した際に、その載置物の落下を防止するために、助手席のシートクッション前側に格納した落下防止部材をシートクッションの上方に突出させたものが提案されている（例えば、特許文献１、２参照）。
【０００３】
【特許文献  １】実開昭５１ー３６８２５号公報
【特許文献  ２】実開昭６３ー１８９８４４号公報
【０００４】
そして、以上の従来品はコ字状に折曲した棒材又は左右方向の幅が狭い板材などからなる落下防止部材を使用している。
【０００５】
【発明が解決しようとする課題】
以上の従来品は前述の如くの落下防止部材で、助手席のシートクッション前面に設けているため、載置物が小物の場合には、その落下を防止することができない。
【０００６】
起立状のプレートで落下防止部材を形成することにより、以上の欠点を除去できる。
しかし、プレートで落下防止部材を形成すると、落下防止部材を上下に昇降させるためのスライド装置が外部に露出し、シートの外観品質を損なう不具合が生じる。
【０００７】
スライド装置を内蔵するために、前板と後板を溶着してスライド装置を挟持することにより、前記不具合は解消されるが、斯様にすると、溶着個所に外観品質を損なう凹みが外面に生じる。
【０００８】
そこで、本発明は前板と後板とを溶着して形成する落下防止部材において、その溶着個所の外観品質を向上させることを目的とするものである。
【０００９】
【課題を解決するための手段】
以上の目的を達成するための本発明は、シートの前側部にシートの上面に対して上方に突出可能に落下防止板を取付け、該落下防止板は前板とこの前板に一体に溶着する後板とから構成し、この落下防止板によってシートの上面に載置した載置物の落下を防止する載置物落下防止装置であって、前記前板又は後板のいずれか一方の内側に溶着するプレート状の溶着片を他方の内側に一体成形し、該溶着片における溶着面の略中央に、切欠の非溶着部を形成してなることを特徴とする構成である。
【００１０】
以上の構成により、溶着片を一方の内面に溶着した際、非溶着部が溶着片の溶着個所における略中央にあるため、溶着個所の全体が均等に冷却して固化する。従って、一方の外面に溶着によって生じる凹みが発生することがない。
【００１１】
また、前記溶着片を電磁誘導溶着によって一方の内側に溶着することにより、溶着が的確に、しかも確実に行うことができ、溶着強度が向上する。
【００１２】
【発明の実施の形態】
以下、本発明の実施の一形態を図面に基づいて説明する。
図１、図２は本発明に係る載置物落下防止装置を備えた自動車用シートの助手席を示し、図中ＳＣはシートクッション、ＳＢはシートバックを各々示す。
シートクッションＳＣの前側部を構成する前側面側に上下方向にスライド機構によって上下する落下防止板Ａからなる本発明に係る載置物落下防止装置が設けてある。
【００１３】
以上の落下防止板Ａは、合成樹脂製プレートで成形した前板１と後板２とからなり、前板１、後板はシートクッションＳＣの前側面の上半分を被う大きさに形成され、その左右方向における中央に通孔からなるグリップ部１Ａが設けてあり、このグリップ部１Ａに指先を引掛けて上方に持ち上げることにより、落下防止板１は図示するようにシートクッションＳＣの上面に対して上方に突出するようにし、また、上方より押圧すると下降してシートクッションＳＣの前側面に格納されるように構成されている。
【００１４】
落下防止板Ａには、スライド機構を構成する係止筒４と、この係止筒４内に挿着されるホルダー５とが内蔵され、このホルダー５内に図３に示すシートクッションＳＣのフレームＦに締結する逆コ字状のステー３、３が挿入される。
従って、ステー３、３に対して落下防止板Ａは上下方向にスライド自在に取付けられている。
【００１５】
なお、前記左右の係止筒４、４は連結杆６によって一体に連結され、図示するものは、図５に示すように、係止筒４、４は連結杆６が後板２の内側に固定されている。図２おいて、図中ＢはシートクッションＳＣの上面に載置した荷物などの載置物を示す。
【００１６】
落下防止板Ａは、図４乃至図７に示すように構成されている。即ち、左右には、翼状に形成して後方に折曲する側部Ａ1、Ａ1が一体に成形され、前述の如く、スライド機構を構成する左右一対の係止筒４、４とこの係止筒４、４を連結する連結杆６が内蔵され、係止筒４、４の下端が開放され、ステー３、３が挿入されるように形成されている。
【００１７】
以上の前板１と後板２は略外形が同一で、周端縁１１、１２、１３、２１、２２、２３が相互に接合されるように成形し、前板１と後板２のいずれか一方の周端縁１１…における内側に係止爪１１１、他方の周端縁２１の内側には、係止爪１１１が係合して係止する係止突片２１１が各々突設成形されている。
【００１８】
以上の前板１又は後板２のいずれか一方の内側に溶着片１１６を設ける。図示する溶着片１１６は、図８乃至図１０に示すように、Ｌ字状に成形され、前板１の内側に向けて折曲する端縁１２と、その近傍の前板１の内面とに両遊端を一体成形している。
【００１９】
そてし、その溶着片１１６の溶着面１１６Ａは、後板２の内面に接合するように成形され、溶着面１１６Ａには電磁誘導溶着するために、鉄粉などの磁性体が塗布されている。
【００２０】
また、溶着面１１６Ａの略中央及び端縁１２側には、切欠状に形成された非溶着部１１６Ｂ、１１６Ｂが形成されている。
図中１１６Ｃは、溶着片１１６の脚部を示す。
【００２１】
従って、後板２に前板１の両端縁１１、１２、１３と２１、２２、２３を相互に接合すると共に、前記係止突片２１１と、係止爪１１１との係合により、後板２に前板１を結合させると、前記前板１側に設けた溶着片１１６の溶着面１１６Ａが、後板２の被溶着部２１６における内面に接合する。
【００２２】
この状態で、溶着片１１６を後板２の被溶着部２１６に電磁誘導溶着などで一体に溶着する。
この溶着片１１６を設けて溶着する個所は、前板１と後板２との両上部の周端縁１２、２２側に設けているが、図７に示すように両下部の周端縁１２、２３内側にも設けても良いし、また、左右の周端縁１１、２１の内側に設けても良い。
【００２３】
図中２１２、２１７は溶着片、１１２、１１７は溶着片２１２、２１７が溶着される被溶着部を各々示す。
【００２４】
また、前板１と後板における前記係止筒４、４の下端近傍部分も一体に溶着されている。
【００２５】
そして、係止筒４、４の下端方向における前板１と後板２における両端縁１３１、２３１は図６に示すように相互に係合する鉤形に成形して、落下防止板Ａを下降させた際に、ステー３、３の折曲個所に落下防止板Ａの下端部が突き当たっても前板１が後板２から外れることがないようにしている。
【００２６】
なお、図中１１３は、２１３、２１３の挟持片に挿込む挿込片、２１４、２１５は後板２の内側に一体成形した補強リブである。
【００２７】
本発明によれば、溶着片の溶着面における略中央に、切欠状の非溶着部を設けているため、前板と後板とを溶着した際に、溶着によって生じる凹みが、前板又は後板の被溶着部の外面が発生することがない。従って、外観品質の優れた落下防止板を成形できる。
【図面の簡単な説明】
【図１】本発明装置を備えた自動車用シートの斜視図である。
【図２】図１のIIーII線断面図である。
【図３】落下防止板を取付ける前の状態の斜視図である。
【図４】本発明に係る落下防止板の斜視図である。
【図５】図４の分解斜視図である。
【図６】図４のVIーVI線断面図である。
【図７】図４のVIIーVII線断面図である。
【図８】溶着片の斜視図である。
【図９】図８のIXーIX線断面図である。
【図１０】図８のXーX線断面図である。
【符号の説明】
Ａ      落下防止板
１      前板
２      後板
１１６      溶着片
１１６Ａ      溶着面
１１６Ｂ      非溶着部
【図１】
2004203081.tif 000003
【図２】
2004203081.tif 000004
【図３】
2004203081.tif 000005
【図４】
2004203081.tif 000006
【図５】
2004203081.tif 000007
【図６】
2004203081.tif 000008
【図７】
2004203081.tif 000009
【図８】
2004203081.tif 000010
【図９】
2004203081.tif 000011
【図１０】
2004203081.tif 000012